(57)【特許請求の範囲】
【請求項１】
外縁部を有したスクリーンと、
前記スクリーンを巻き取り及び送り出す巻取パイプと、
前記巻取パイプから送り出された前記外縁部を案内方向に案内する案内レールと、
前記巻取パイプの周方向に沿った曲面である抑制面であって、前記巻取パイプの中心軸と前記抑制面との間の距離が前記スクリーンの最大巻き取り径以上である前記抑制面と、
各々が互いに対向し前記案内方向に沿った２つの案内面と、
を備え、
前記抑制面は、前記巻取パイプの中心軸よりも前記案内レール側に偏った位置のみにおいて、前記周方向に沿って延び、かつ、前記抑制面における前記周方向の途中には、前記スクリーンが通過するための案内スリットが、前記巻取パイプの中心軸方向に沿って形成され、
前記２つの案内面は、前記案内スリットを区画するとともに、前記スクリーンを挟む位置に配置され、かつ、前記案内スリットから前記案内レールに向けて延びる
ロールスクリーン。
【請求項２】
前記抑制面と少なくとも１つの前記案内面とは、前記巻取パイプの中心軸方向から見て、１つの曲線形状を有する
請求項１に記載のロールスクリーン。
【請求項３】
少なくとも１つの前記案内面は、前記スクリーンが前記巻取パイプに巻き取られる位置における前記巻取パイプの接線方向に沿って延びる
請求項１又は２に記載のロールスクリーン。
【請求項４】
前記抑制面において前記巻取パイプの中心軸を中心とする中心角は９０°よりも大きい
請求項１〜３のいずれか一項に記載のロールスクリーン。
【請求項５】
前記巻取パイプの端部を支持するサイドブラケットをさらに備え、
前記サイドブラケットは、前記抑制面、および、前記案内面を備える
請求項１〜４のいずれか一項に記載のロールスクリーン。
【発明の詳細な説明】
【技術分野】
【０００１】
本発明は、スクリーンを巻き取り及び送り出す巻取パイプと、巻取パイプに対し巻き取り及び送り出されるスクリーンの移動を案内する案内レールとを備えるロールスクリーンに関する。
【背景技術】
【０００２】
ロールスクリーンにおいて巻き取り軸となる巻取パイプに巻き取られたスクリーンは、スクリーンの引き出し操作によって下降し、また、巻取パイプから引き出されたスクリーンは、スクリーンの巻き取り操作によって上昇する。ロールスクリーンが備える案内レールは、スクリーンが昇降する方向である昇降方向に沿って延びる形状を有する。また、巻取パイプから引き出されたスクリーンの外縁部は、スクリーンの外縁部を案内レールに出入りさせるために案内レールの巻取パイプ側の上端部に設けられる開口から案内レールの内側に入り込む。さらにスクリーンの外縁部は、巻取パイプと案内レールの上端部との間では、巻取パイプと案内レールの上端部との間に配置されるシートガイドによって昇降方向に沿って案内される（例えば、特許文献１参照）。
【先行技術文献】
【特許文献】
【０００３】
【特許文献１】特開２００４−３６０３８７号公報
【発明の概要】
【発明が解決しようとする課題】
【０００４】
ところで、ロールスクリーンは、適切に張られた状態のスクリーンを巻取パイプに巻き取らせることで、巻きずれやしわを生じさせることなくスクリーンがシード巻取パイプに巻き取られるようにしている。しかしながら、例えば、スクリーンの一端を強制的に下降させる、あるいは、上昇させることによってスクリーンに傾きを生じさせる操作や、巻取パイプが許容する回転速度よりも速い速度でスクリーンを上昇させる操作が行われると、特に案内レールに対する巻取パイプ側で、スクリーンにたるみを生じさせることがある。こうしたとき、たるみを生じている状態でスクリーンが巻取パイプに巻き取られると、案内レールに対する巻取パイプ側では、スクリーンの移動に適した本来の経路からスクリーンが外れるおそれがある。
【０００５】
本発明は、こうした課題に鑑みてなされたものであって、その目的は、案内レールに対する巻取パイプ側において、スクリーンの移動に適した本来の経路からスクリーンが外れることを抑えるロールスクリーンを提供することである。
【課題を解決するための手段】
【０００６】
上記課題を解決するためのロールスクリーンは、外縁部を有したスクリーンと、前記スクリーンを巻き取り及び送り出す巻取パイプと、前記巻取パイプから送り出された前記外縁部を案内方向に案内する案内レールと、前記巻取パイプの周方向に沿った曲面である抑制面であって、前記巻取パイプの中心軸と前記抑制面との間の距離が前記スクリーンの最大巻き取り径以上である前記抑制面と、各々が互いに対向し前記案内方向に沿った２つの案内面とを備える。そして、前記抑制面は、前記巻取パイプよりも前記案内レール側の位置から前記周方向に沿って延び、かつ、前記抑制面における前記周方向の途中には、前記スクリーンが通過するための案内スリットが、前記巻取パイプの中心軸方向に沿って形成され、前記２つの案内面は、前記案内スリットを区画するとともに、前記スクリーンを挟む位置に配置され、かつ、前記案内スリットから前記案内レールに向けて延びることを要旨とする。
【０００７】
このような構成によれば、たるみはじめるスクリーンであれ、抑制面によってスクリーンが外周方向に張り出すことが規制されてたるみが抑制される。例えば、スクリーンを巻き取るとき、スクリーンが巻取パイプの巻き取り方向の外周へ張り出すことが規制され、巻取パイプの周囲においてスクリーンのたるみが抑制される。これにより、巻取パイプに巻き取られるスクリーンのたるみを抑え、案内レールに対する巻取パイプ側において、スクリーンの移動に適した本来の経路からスクリーンが外れることを抑えられる。しかも、２つの案内面はスクリーンを挟むようにスクリーンを案内することで、巻取パイプからの距離が離れたスクリーンのばたつきを抑制させることができる。
【０００８】
なお、巻取パイプから送り出されるスクリーンは、スクリーンが巻取パイプの送り出し方向の外周に張り出すことを規制され、それによって、スクリーンのたるみを抑制される。
【０００９】
好ましい構成として、前記抑制面と少なくとも１つの前記案内面とは、前記巻取パイプの中心軸方向から見て、１つの曲線形状を有することを要旨とする。
このような構成において、抑制面や案内面は、巻き取られている、又は、送り出されているスクリーンと接触するおそれがある一方で、抑制面と案内面とが１つの曲線形状とされることで巻き取りや送り出しが円滑になる。
【００１０】
好ましい構成として、少なくとも１つの前記案内面は、前記スクリーンが前記巻取パイプに巻き取られる位置における前記巻取パイプの接線方向に沿って延びることを要旨とする。
このような構成においては、スクリーンのばたつきなどによってスクリーンが案内面に接触するおそれがある一方で、巻取パイプの接線方向に沿って案内面が延びるため、スクリーンと案内面との摩擦が抑えられる。
【００１１】
好ましい構成として、前記抑制面において前記巻取パイプの中心軸を中心とする中心角は９０°よりも大きいことを要旨とする。
このような構成によれば、抑制壁の中心角を９０°より大きくすることで、スクリーンの張り出しに対する抑制効果の確実性が高められる。
【００１２】
好ましい構成として、前記巻取パイプの端部を支持するサイドブラケットをさらに備え、前記サイドブラケットは、前記抑制面、および、前記案内面を備えることを要旨とする。
【００１３】
このような構成によれば、案内レールとは別部材であって、巻取パイプに近接する部材であるサイドブラケットが、上述した抑制面と案内面とを備える。そのため、抑制面に求められる抑制機能と、案内面に求められる案内機能との発現に適した位置に、抑制面と案内面とを配置することが容易である。
【発明の効果】
【００１４】
本発明のロールスクリーンによれば、案内レールに対する巻取パイプ側において、スクリーンの移動に適した本来の経路からスクリーンが外れることを抑える。
【図面の簡単な説明】
【００１５】
【図１】ロールスクリーン用サイドブラケットを用いて具体化されたロールスクリーンの一実施形態において、その正面構造を示す正面図である。
【図２】同実施形態におけるロールケースの正面上方の斜視構造を示す斜視図。
【図３】同実施形態におけるロールケースの裏面下方の斜視構造を示す斜視図。
【図４】同実施形態におけるサイドブラケットの外側面構造を示す側面図。
【図５】同実施形態におけるサイドブラケットの内側面構造を示す側面図。
【図６】同実施形態におけるサイドブラケットの内側面の斜視構造を示す斜視図。
【発明を実施するための形態】
【００１６】
ロールスクリーンの一実施形態を図１から図６を参照して説明する。
【００１７】
［ロールスクリーンの構成］
図１に示すように、ロールスクリーンが備えるレールベース１１は、左右方向に沿って延びる巻取パイプ１２を回転できる状態で支持している。巻取パイプ１２は、帯形状を有するスクリーン１３の上端部を巻取パイプ１２の軸線方向に沿って支持している。スクリーン１３の下端部は、巻取パイプ１２の外周面から離れて、案内方向の一例である鉛直方向の下側に向かって自重によって垂れ下がっている。スクリーン１３の下端部は、左右方向に沿って延びるウェイトバー１４を有する。ウェイトバー１４は、スクリーン１３の位置を案内方向の一例である鉛直方向に沿って安定させる。なお、スクリーン１３の下端部がウェイトバー１４を有する構成においては、ウェイトバー１４の左右方向に沿った長さＬＷが、スクリーン１３の左右方向に沿った長さＬＳよりも短い。
【００１８】
巻取パイプ１２は、巻取パイプ１２を回転させる回転機構によって回転される。例えば、回転機構は、スプリングモータを備え、また、ウェイトバー１４を自由な高さに止めることができるフリーストップ機構を備えている。スクリーン１３が巻き付けられた巻取パイプ１２は、スクリーン１３が最も送り出されたときの最小径（図５のＬ２−Ｌ３の間の長さ：径Ｒ２の２倍の長さ）と、スクリーン１３が最も巻き取られたときの最大巻き取り径（図５のＬ１−Ｌ４の間の長さ）との間で、その外径が変化する。スクリーン１３の下端部の中央部には、ウェイトバー１４の昇降操作を行うハンドル１５が取り付けられている。さらに、ハンドル１５には、プルコード１６が垂下されている。ウェイトバー１４は、プルコード１６を引いて降下させることもできる。ウェイトバー１４は、スクリーン１３の下端部の中央部に配置されたハンドル１５を用いて昇降することができ、また、プルコード１６を引っ張って降下される。ウェイトバー１４の下端には、ダンパ１４Ｄが設けられている。ダンパ１４Ｄは、ゴムや樹脂など弾性を有する部材より形成されている。ダンパ１４Ｄは、ウェイトバー１４が降下されスクリーン１３が全閉状態になったとき、窓枠等を構成する枠体１９の下部枠体１９Ａと接触し部屋外から部屋内への漏光を抑制する。
【００１９】
左右方向における巻取パイプ１２の両端部の下側には、昇降方向に沿って延びる左右一対の案内レール２１が立てられている。左右一対の案内レール２１の各々は、スクリーン１３の前側に位置する前側案内壁２１Ｆと、スクリーン１３の後側に位置する後側案内壁２１Ｂとを備えている。前側案内壁２１Ｆ、および、後側案内壁２１Ｂは、前側案内壁２１Ｆと後側案内壁２１Ｂとの間に案内通路２１Ｇを区画している。案内通路２１Ｇには、スクリーン１３の外縁部１３Ｅが入り込んでいる。巻取パイプ１２が例えば左回りに回転し、スクリーン１３の全てが案内レール２１から離れるとき、スクリーン１３の下側端辺は、案内レール２１の上側まで引き上げられる。この状態から、巻取パイプ１２が例えば右回りに回転し、スクリーン１３の下側端辺が下がるとき、スクリーン１３の外縁部１３Ｅは、案内通路２１Ｇに入り込む。
【００２０】
レールベース１１は、巻取パイプ１２を収容するロールケース３０を備える。ロールケース３０は、巻取パイプ１２と同様に左右方向に延びる形状を有しており、案内レール２１のある方向には左右方向に延びる形状に開口され、巻取パイプ１２に巻き取られ又は送り出されるスクリーン１３の出入り口となる開口部を備えている。スクリーン１３は、ロールケース３０内にある巻取パイプ１２と、同ロールケース３０外にある案内レール２１との間をロールケース３０の開口部を通り昇降自在に構成されている。
【００２１】
図２〜４に示すように、ロールケース３０は、ロールケース３０の左右方向に延びるフレーム３１と、フレーム３１の左端部に設けられる左サイドブラケット３２Ｌと、フレーム３１の右端部に設けられる右サイドブラケット３２Ｒとを備える。また、ロールケース３０は、左サイドブラケット３２Ｌから左の案内レール２１まで延びる左ベースキャップ３３Ｌと、右サイドブラケット３２Ｒから右の案内レール２１まで延びる右ベースキャップ３３Ｒとを備える。
【００２２】
左右ベースキャップ３３Ｌ，３３Ｒは、ロールケース３０と案内レール２１との間に配置される延設部を備える。延設部は、ロールケース３０のフレーム３１と案内レール２１との間にあって、スクリーン１３の面に直交する方向である屋内外方向に対して、スクリーン１３の外縁部１３Ｅと枠体１９との間に生じる隙間に重なって覆う態様に配置される。これにより、ロールケース３０と案内レール２１との間にあって、スクリーン１３の外縁部１３Ｅと枠体１９との間に生じる隙間から日射が差し込むことを抑えている。
【００２３】
フレーム３１は、最大巻き取り径で巻取パイプ１２を収容可能な大きさを有する。つまり、フレーム３１は、その左右方向の長さを巻取パイプ１２よりも長くし、スクリーン１３の案内方向の長さ、及び、屋内外方向（前後方向）の長さをそれぞれ、最大巻き取り径でよりも長くしている。フレーム３１は、屋内方向に向く前面３１Ｆと、枠体１９に向く上面である取付面３１Ｓと、屋外方向に向く後面３１Ｂとを備える。前面３１Ｆは、案内レール２１側において下辺３１ＦＥが屋内から屋外に向けて回り込むことで、フレーム３１の下側において屋内側の半分程度を覆う。後面３１Ｂは、下側に下辺３１ＢＥを備える。すなわち、フレーム３１は、案内レール２１側である下側において、前面３１Ｆの下辺３１ＦＥと後面３１Ｂの下辺３１ＢＥとの間を、ロールケース３０に対してスクリーン１３が出入りする開口部として開口させている。
【００２４】
フレーム３１の取付面３１Ｓには、取付面３１Ｓに突出されて左右方向に延びるブラケット取付部３１１が設けられている。ブラケット取付部３１１は、取付ブラケット３４に係合する形状を有しており、枠体１９に取り付けられた取付ブラケット３４の嵌合溝３４１，３４２に係合することでロールケース３０を枠体１９に支持させるようにする。フレーム３１の取付面３１Ｓは、その後側であって、ブラケット取付部３１１に係合する取付ブラケット３４と干渉しない位置に、遮光クッション取付部３１２が設けられている。
【００２５】
遮光クッション取付部３１２は、遮光クッション３５が取り付けられるものである。遮光クッション３５は、ダンパ１４Ｄと同様の弾性を有する部材からなり、フレーム３１の左右方向にフレーム３１と同様の長さを有している。遮光クッション３５は、その基端部３５Ｂを嵌め込まれるようにして遮光クッション取付部３１２に取り付けられる。なお、遮光クッション取付部３１２及び遮光クッション３５は、フレーム３１の取付面３１Ｓの前側であって、ブラケット取付部３１１に係合する取付ブラケット３４と干渉しない位置に設けられてもよい。
【００２６】
また、図４に示すように、上述のように取り付けられた状態において、遮光クッション３５の先端部３５Ｔは、枠体１９に向けて、ブラケット取付部３１１に係合された取付ブラケット３４よりも突出される。これにより、ロールケース３０が取付ブラケット３４を介して枠体１９に取り付けられたとき、遮光クッション３５は、その先端部３５Ｔが枠体１９に当接しつつ弾性変形されて、枠体１９とフレーム３１の取付面３１Ｓとの間に生じる隙間を封止する。これにより、ロールケース３０と枠体１９との間において、取付ブラケット３４によってフレーム３１と枠体１９との間に生じる隙間を通じて屋外から屋内に日射が差し込むことが抑えられる。
【００２７】
フレーム３１は、その左端に左サイドブラケット３２Ｌが取り付けられ、その右端に右サイドブラケット３２Ｒが取り付けられている。左右サイドブラケット３２Ｌ，３２Ｒはそれぞれ、フレーム３１の左端部及び右端部の開口部を覆うようにフレーム３１に取りつけられる。左右サイドブラケット３２Ｌ，３２Ｒは、それら平面３２０の中央付近に巻取パイプ１２の対応する端部をそれぞれ回動可能に保持する。従って、巻取パイプ１２は、その両端部が左右サイドブラケット３２Ｌ，３２Ｒに支持された状態で外周面が回動可能になり、この外周面の回動により巻取パイプ１２に対してスクリーン１３が巻き取り及び送り出される。なお、本実施形態における左右サイドブラケット３２Ｌ，３２Ｒは、左右方向の中心に位置する鉛直面に対し、その構造が面対称であるとともに、巻取パイプ１２の端部において同様の機能を発揮するものである。よって以下では、左サイドブラケット３２Ｌについて詳述することとし、説明の便宜上、右サイドブラケット３２Ｒについての説明は割愛する。
【００２８】
［サイドブラケットの構成］
図４に示すように、左サイドブラケット３２Ｌは、フレーム３１の左端部に連結穴３２３，３２４を介して接続固定される。すなわち、フレーム３１の左端部には、連結穴３２３，３２４に連結される連結部が設けられている。また、左サイドブラケット３２Ｌは、その平面３２０がフレーム３１の左端部を覆う。
【００２９】
詳述すると、図５に示すように、左サイドブラケット３２Ｌは、平面３２０の縁部がフレーム３１の端部においてフレーム３１の外表面まで延出されており、その延出された縁部はフレーム３１に重なるように直角に向きを変えて左右方向に所定の高さで突出する重畳部３２５を備えている。また、重畳部３２５は、フレーム３１の前面３１Ｆ側の下辺３１ＦＥから前面３１Ｆ、及び、取付面３１Ｓまで設けられている。さらに、重畳部３２５は、屋外から屋内の方向へフレーム３１と左サイドブラケット３２Ｌのとの間に隙間が生じない長さを所定の高さとしている。これによりフレーム３１の端部と左サイドブラケット３２Ｌとの間における隙間の発生が抑制されて、屋外から屋内に日射が差し込むことが抑えられる。
【００３０】
図５及び図６に示すように、左サイドブラケット３２Ｌは、中央部に巻取パイプ１２を支持する支持軸４０を備える。支持軸４０は、平面３２０に垂直に設けられた円筒状を有しており、円筒の中心を巻取パイプ中心軸としての中心軸１２Ｃとし、円状の外周４１と、内周に直線部を有する内筒４２とを有している。支持軸４０の高さは、巻取パイプ１２が回動可能に挿入されることに適した長さに対応する高さを有する。内筒４２は、円筒面である内周面４３を有し、角を曲線状とされた略矩形状を有している。外周４１は円形であるため支持軸４０に対して回動する巻取パイプ１２の摩擦が低く抑えられる一方、内筒４２は矩形状であるため巻取パイプ１２に設けられるスプリングモータの一部の位置が相対的に維持される。
【００３１】
左サイドブラケット３２Ｌは、平面３２０に所定の高さで突出されるとともに、中心軸１２Ｃを中心とし、支持軸４０の外周４１よりも大きい径を有する円形状の当接部３２１を備える。当接部３２１の所定の高さは、支持軸４０の高さよりも低い。当接部３２１は、その直径（Ｌ２−Ｌ３の間の長さ）が巻取パイプ１２の最小径に対応する長さである。当接部３２１は、左サイドブラケット３２Ｌにおいて巻取パイプ１２の当接個所に規定され、その突出される先端部に回動する巻取パイプ１２の外周を受けることで、巻取パイプ１２がスムーズに回動できるようにしている。
【００３２】
図５に示す左サイドブラケット３２Ｌに対して、巻取パイプ１２から延出されるスクリーン１３は、巻き取り高さ位置Ｐ１にて巻取パイプ１２から巻取パイプ１２の接線方向に離脱し、案内レール２１に向けて送り出される。
【００３３】
詳述すると、図５に示す左サイドブラケット３２Ｌに対して、巻取パイプ１２が右回りのときスクリーン１３が送り出され、巻取パイプ１２が左回りのときスクリーン１３が巻き取られる。また、左サイドブラケット３２Ｌの巻き取り高さ位置Ｐ１において、巻取パイプ１２の外周面に同巻取パイプ１２に巻き取られるスクリーン１３が当接し、逆に、巻取パイプ１２の外周面から同巻取パイプ１２から送り出されるスクリーン１３が離脱する。なお、左サイドブラケット３２Ｌの巻き取り高さ位置Ｐ１は、巻取パイプ１２の径や巻き取り速度や送り出し速度により変動する範囲を含む位置である。
【００３４】
［抑制壁及び案内壁の構成及び作用］
左サイドブラケット３２Ｌは、巻取パイプ１２が最大巻き取り径（Ｌ１−Ｌ４の間の長さ）のときその半径Ｒ１（ＬＣ−Ｌ１の間の長さ）に対して、例えば１ｍｍという一定距離（Ｌ１−Ｌ０（Ｌ４−Ｌ５）の間の長さ）だけ外周側に離れた位置に抑制部としての抑制壁５０を備えている。つまり、抑制壁５０は、巻取パイプ１２の中心軸１２Ｃを中心にＬＣ−Ｌ０の間の長さからなる半径Ｒ０を有して周方向に延びている。これにより、スクリーン１３が巻き取られたときであれ、巻取パイプ１２の外周と抑制壁５０との間に一定距離が確保されてスクリーン１３との間の摩擦が抑えられる。この一定距離は、スクリーン１３との間の摩擦が低く抑えられるとともに、スクリーン１３の張り出し、ふくらみ、又はたるみなどが抑えられる距離であり、理論的に算出され、又は、経験や実験などに基づいて求められる値である。
【００３５】
抑制壁５０は、巻取パイプ１２の外周面と対向する内周面である抑制面を備え、抑制面は、中心軸１２Ｃを中心に所定の中心角θで規定される角度範囲に設けられており、その規定される角度範囲には巻き取り高さ位置Ｐ１を含む。抑制壁５０は、平面３２０に垂直な方向に所定の高さｈ１で突設されている。所定の中心角θは、９０°より大きい角度である。所定の中心角θは、スクリーン１３の張り出し、ふくらみ、又はたるみなどが抑えられる角度が理論的に算出され、又は、経験や実験などに基づいて求められる値である。抑制壁５０は、所定の高さｈ１だけ突設されることによって、スクリーン１３と左右方向において重なる。つまり、屋内外方向においてもスクリーン１３の外縁部１３Ｅと抑制壁５０とが重なる。よって、スクリーン１３の前後方向への移動範囲は、抑制壁５０の抑制面と外縁部１３Ｅとの接触によって規制される。例えば、スクリーン１３の張り出し、ふくらみ、たるみなどが抑制壁５０によって所定の中心角θにわたり規制される。
【００３６】
所定の高さｈ１は、スクリーン１３が案内レール２１に入り込む長さと同じか、それより短い長さに対応することが好ましい。これにより、抑制壁５０に接触したスクリーン１３に汚れなどが生じたとしても、引き出されたとき、汚れを生じた部分が案内レール２１内に収容されスクリーン１３の意匠性を低下させるおそれが抑制される。
【００３７】
また、抑制壁５０は、所定の中心角θの角度範囲に、抑制壁５０に対して交差する方向である案内方向にスクリーン１３が移動する経路Ｒ１３を含んでいる。経路Ｒ１３は、案内レール２１に対する巻取パイプ１２側において、スクリーン１３の巻き取りや送り出しが円滑に進められるスクリーン１３の経路であって、スクリーン１３の移動に適したスクリーン１３本来の経路である。抑制壁５０には、経路Ｒ１３に大きく干渉する位置において、壁が設けられていない部分である案内スリット５５が形成され、それによって、スクリーン１３を移動させる経路Ｒ１３が確保されている。すなわち、抑制壁５０の抑制面は、案内スリット５５によって上下方向で２分割されている。抑制壁５０は、案内スリット５５に対して巻取パイプ１２の左回り方向（上方）には第１抑制部の一例である第１抑制壁５１を備え、案内スリット５５に対して右回り方向（下方）には第２抑制部の一例である第２抑制壁５２を備えている。したがって、第１抑制壁５１と第２抑制壁５２との間にはスクリーン１３が配置され、スクリーン１３を挟んで屋外側（後側）に第１抑制壁５１が、屋内側（前側）に第２抑制壁５２が配置される。これにより、スクリーン１３が経路Ｒ１３に対し屋内外のどちら側に張り出し、ふくらみ、および、たるみなどを生じたとしても、それら張り出しなどが抑制される。
【００３８】
さらに、抑制壁５０の第１抑制壁５１と第２抑制壁５２との間には、スクリーン１３の経路Ｒ１３に沿って案内壁６０が設けられている。案内壁６０は、スクリーン１３の経路Ｒ１３に対応する位置に設けられており、抑制壁５０の第１抑制壁５１と第２抑制壁５２との間から案内レール２１の方向に所定の高さｈ１、かつ、所定の長さＬ１０で延設されている。ここでも、所定の高さｈ１は、スクリーン１３が案内レール２１に入り込む長さと同じかそれより短い長さに対応することが好ましい。これにより、案内壁６０に接触したスクリーン１３に汚れなどが生じたとしても、引き出されたとき案内レール２１内に収容されて意匠性を低下させるおそれが抑制される。
【００３９】
案内壁６０は、第１案内壁６１と第２案内壁６２とを備え、第１案内壁６１と第２案内壁６２とが、案内方向に沿って延び、かつ、互いに対向する２つの面である案内面を備えている。第１案内壁６１は、第１抑制壁５１に連続して設けられ、第１案内壁６１が備える案内面は、第１抑制壁５１が備える抑制面と接続されている。第２案内壁６２は、第２抑制壁５２に接続され、第２案内壁６２が備える案内面は、第２抑制壁５２が備える抑制面と接続されている。第１案内壁６１と第２案内壁６２とが有する２つの案内面は、抑制面に対し上述した案内スリット５５を区画している。これら第１案内壁６１と第２案内壁６２との間をスクリーン１３の経路Ｒ１３としている。つまり、スクリーン１３より屋外側（後側）に第１案内壁６１が配置され、スクリーン１３より屋内側（前側）に第２案内壁６２が配置される。
【００４０】
経路Ｒ１３は、巻き取り高さ位置Ｐ１における巻取パイプ１２の接線方向、かつ、下側に延びており、第１案内壁６１と第２案内壁６２とも巻き取り高さ位置Ｐ１における接線方向に沿う方向に延びている。また、平面３２０と対向する方向から見て、第１案内壁６１が連続する第１抑制壁５１は、中心軸１２Ｃを中心とする弧状、かつ、巻き取り高さ位置Ｐ１を含む態様に設けられていることから、第１案内壁６１及び第１抑制壁５１のそれぞれの延びる方向と巻き取り高さ位置Ｐ１における接線方向となす角は小さい。よって、第１案内壁６１の案内面は、第１抑制壁５１の抑制面が有する弧状に対して曲率の小さい曲線状を介して連続する曲線として設けられており、第１案内壁６１の案内面と第１抑制壁５１の抑制面とは、中心軸１２Ｃ方向から見て１つの曲線形状を形成している。例えば、第１抑制壁５１と第１案内壁６１との間に設けられる変曲点を第１抑制壁５１と第１案内壁６１と境界位置とすることができる。これにより、第１抑制壁５１の抑制面と第１案内壁６１の案内面とが１つの曲線形状とされ、スクリーン１３との摩擦が低減されてスクリーン１３の巻き取りや送り出しが円滑になる。
【００４１】
なお、巻き取り高さ位置Ｐ１における接線方向に沿う方向には、接線方向と厳密に平行である方向の他、接線方向に対してなす角が小さい方向も含まれる。また、中心軸１２Ｃに対する周方向に沿う方向には、周方向と厳密に平行である方向の他、周方向に対してなす角が小さい方向も含まれる。
【００４２】
第２案内壁６２の案内面は、巻き取り高さ位置Ｐ１における接線方向に対してそれに沿う方向に設けられる。また、第２抑制壁５２の抑制面は、中心軸１２Ｃを中心とした中心角において、巻き取り高さ位置Ｐ１から９０°未満となる角度範囲において中心軸１２Ｃの周方向に沿う方向に設けられる。なお、第２抑制壁５２は、中心軸１２Ｃを中心とした中心角において、巻き取り高さ位置Ｐ１から４５°以上となる角度範囲において中心軸１２Ｃの周方向に沿う方向に設けられることが好ましい。このため、第２案内壁６２の案内面と第２抑制壁５２の抑制面とのなす角は鋭角になる。第２案内壁６２の案内面と第２抑制壁５２の抑制面とのなす角が鋭角であることにより、巻取パイプ１２から送り出されたスクリーン１３を離脱させるように案内すること、巻取パイプ１２から送り出されるスクリーン１３が第２抑制壁５２に向けて張り出すことがそれぞれ好適に行われる。また、巻取パイプ１２にスクリーン１３を巻き取らせるために、スクリーン１３を巻取パイプ１２に近接させるようにスクリーン１３を案内することがそれぞれ好適に行われるようになる。
【００４３】
第１抑制壁５１は、巻き取り高さ位置Ｐ１からスクリーン１３が巻き取られる方向に所定の角度まで延設されている。これにより、巻取パイプ１２からスクリーン１３が離脱するとき、巻き取り高さ位置Ｐ１やその近傍でスクリーン１３に生じるばたつきなどが抑制され、逆に、巻取パイプ１２に巻き取られたスクリーン１３が巻き取り高さ位置Ｐ１以降に生じるふくらみなどが抑制されるようになる。
【００４４】
第１抑制壁５１は、スクリーン１３が巻き取られる方向になる上端部において、巻き取り高さ位置Ｐ１の接線方向に直交し、かつ、中心軸１２Ｃに離間する方向に延びるかたちに第１支持壁５３を備える。この第１支持壁５３によって、第１抑制壁５１がスクリーン１３の接触により巻き取り高さ位置Ｐ１やその近傍から中心軸１２Ｃから離間する方向に受ける押圧力に対する抗力の向上が図られる。
【００４５】
また、第１案内壁６１は、平面３２０の下端部において巻き取り高さ位置Ｐ１の接線方向に直交する方向に延びる第２支持壁６３を備える。この第１案内壁６１によって、第１案内壁６１がスクリーン１３の接触により巻き取り高さ位置Ｐ１の接線方向に直交する方向に受ける押圧力に対する抗力の向上が図られる。
【００４６】
第１支持壁５３は、第１抑制壁５１側ではない端部にリブ５４が設けられている。リブ５４は、フレーム３１に嵌め込まれる凸部であり、平面３２０において、第２支持壁６３が設けられる下辺の対辺である上辺近傍に向けて延設される。すなわち、左サイドブラケット３２Ｌは、支持軸４０よりも屋外側（後側）の位置に下端部から上端部に延びる、第２支持壁６３、第１案内壁６１、第１抑制壁５１、及び、第１支持壁５３からなる連続壁を備える。よって、この連続壁によっても、フレーム３１（特に、後面３１Ｂ）の端部と左サイドブラケット３２Ｌとの間における隙間の発生が抑制されて、屋外から屋内に日射が差し込むことが抑えられる。
【００４７】
以上、本実施形態のロールスクリーン用サイドブラケットによれば、以下に列挙する効果が得られる。
（１）たるみを有するスクリーン１３であれ、抑制壁５０によってスクリーン１３が外周方向に張り出すことが規制されてたるみが抑制される。例えば、スクリーン１３を巻き取るとき、スクリーン１３が巻取パイプ１２の巻き取り方向の外周へ張り出すことが規制されてたるみが抑制される。これにより、巻取パイプ１２に巻き取られるスクリーン１３のたるみを抑えること、ひいては、案内レール２１に対する巻取パイプ１２側において、スクリーン１３の移動に適した本来の経路からスクリーン１３が外れることを抑えられる。
【００４８】
また、案内壁６０はスクリーン１３を挟むようにスクリーン１３を案内することで、巻取パイプ１２からの距離が離れたスクリーン１３のばたつきを抑制させることができる。
【００４９】
なお、巻取パイプ１２から送り出されるスクリーン１３は、スクリーン１３が巻取パイプ１２の送り出し方向の外周に張り出すことが規制されてたるみが抑制される。
【００５０】
（２）抑制壁５０や案内壁６０は巻き取られている、又は、送り出されているスクリーン１３と接触するおそれがあるが、この構成によるように、第１抑制壁５１の抑制面と第１案内壁６１の案内面とが１つの曲線形状とされることで巻き取りや送り出しが円滑になる。
【００５１】
（３）スクリーン１３のばたつきなどによってスクリーン１３が案内壁６０に接触するおそれがあるが、この構成によるように、巻取パイプ１２の接線方向に沿って延びる２つの案内面によれば、案内壁６０を通るスクリーン１３と２つの案内面との摩擦が抑えられる。
【００５２】
（４）抑制壁５０と巻取パイプ１２との間の距離がスクリーン１３の巻き取り径に近いと、巻き取りが進むにつれてスクリーン１３と抑制壁５０との間の摩擦が高くなるおそれがある一方、巻き取り径から離れるとスクリーン１３のたるみを抑制する効果が低下する。そこで、このような構成によれば、抑制壁５０の抑制面と巻取パイプ１２の中心軸との間の距離が最大巻き取り径に対して一定距離大きいことで、たるみの抑制効果が維持されつつ、巻き取られたスクリーン１３と抑制壁５０との間の摩擦が抑えられる。
（５）抑制壁５０の中心角θを９０°より大きくすることで、スクリーン１３の張り出しに対する抑制効果の確実性が高められる。
【００５３】
上記実施形態は、以下のように変更して実施することもできる。
・抑制壁５０の抑制面と巻取パイプ１２の中心軸との間の距離は、巻取パイプ１２の周方向における位置ごとに異なっていてもよく、この際に、最大巻き取り径以上であればよい。
【００５４】
・案内面の延びる方向は、巻取パイプ１２の接線方向に限らず、例えば、巻取パイプ１２の接線方向とは交差する方向であってもよく、巻取パイプ１２の外周から案内レール２１の上端に向けて延びる方向であればよい。
【００５５】
・第１抑制壁５１の抑制面と第１案内壁６１の案内面とは、巻取パイプ１２の中心軸方向から見て、１つの曲線形状を有する構造体に限らず、例えば、第１抑制壁５１と第１案内壁６１とが連結する部位において屈曲する折線形状を有してもよいし、第１抑制壁５１のみが直線形状を有してもよい。
【００５６】
・第２抑制壁５２の抑制面と第２案内壁６２の案内面との接続は、第１抑制壁５１の抑制面と第１案内壁６１の案内面との接続と同様に、巻取パイプ１２の中心軸方向から見て、１つの曲線形状を有してもよい。
【００５７】
・フレーム３１、左右サイドブラケット３２Ｌ，３２Ｒ、左右ベースキャップ３３Ｌ，３３Ｒは、樹脂材料より構成することができるが、金属材料により構成されていてもよい。また、樹脂材料、金属材料など複数の材料から構成されていてもよい。
【００５８】
・第１案内壁６１、および、第２案内壁６２の少なくとも一方は、案内レール２１に連結される構造体であってもよいし、案内レール２１と一体の構造体であってもよい。この際に、案内レール２１に接続される案内壁、あるいは、案内レール２１と一体の案内壁は、サイドブラケットとは別体であってもよい。
【００５９】
・第１案内壁６１、および、第２案内壁６２の少なくとも一方は、巻取パイプ１２の中心軸方向の全体にわたる構造体であって、それが備える案内面は、巻取パイプ１２の中心軸方向の全体にわたりスクリーン１３を案内する機能を有してもよい。
【００６０】
・第１抑制壁５１、および、第２抑制壁５２の少なくとも一方は、案内壁を介して案内レール２１に連結される構造体であってもよいし、案内壁を介して案内レール２１と一体の構造体であってもよい。この際に、案内レール２１に接続される抑制壁、あるいは、案内レール２１と一体の抑制壁は、サイドブラケットとは別体であってもよい。
【００６１】
・第１抑制壁５１、および、第２抑制壁５２の少なくとも一方は、巻取パイプ１２の中心軸方向の全体にわたる構造体であって、それが備える抑制面は、巻取パイプ１２の中心軸方向の全体にわたりスクリーン１３の移動範囲を規制する機能を有してもよい。
【００６２】
・第１抑制壁５１と第２抑制壁５２とは、巻取パイプ１２の上方で接続される一体の構造体であって、これらが備える抑制面は、巻取パイプ１２の周方向において、案内スリット５５以外のほぼ全体にわたりスクリーン１３の移動範囲を規制する機能を有してもよい。
【００６３】
・抑制面を備える構造体は、壁には限られず、例えば、ブロック形状であってもよいし、柱状形状であってもよく、また、意匠面を有した外装部材や、駆動機構を兼ねた駆動部材などの他の機能を備える部材であってもよい。案内面を備える構造体もまた、壁には限られず、例えば、ブロック形状であってもよいし、柱状形状であってもよく、また、意匠面を有した外装部材や、駆動機構を兼ねた駆動部材などの他の機能を備える部材であってもよい。
・案内レール２１が外縁部１３Ｅを案内する方向は、鉛直方向と平行な方向に限らず、鉛直方向と交差する方向や水平方向であってもよい。
【００６４】
・フレーム３１、左右サイドブラケット３２Ｌ，３２Ｒ、左右ベースキャップ３３Ｌ，３３Ｒは、その表面に他の材料が積層されていてもよい。積層は、貼り付け、塗装、蒸着などによって行なわれてもよい。これにより、射光機能などを確保、もしくは高めることや、意匠性を高めることができるようになる。
【００６５】
・取付ブラケット３４は、上記と同様の形状にすることができるのであれば金属材料から構成されていてもよいし、樹脂材料から構成されていてもよいし、これら材料を含む複数の材料から構成されていてもよい。
・枠体１９に取付ブラケット３４と同様の機能があれば、取付ブラケット３４を用いずにロールケース３０が枠体１９に取り付けられるようになる。
【００６６】
・巻取パイプ１２を有する回転機構は、操作チェーンを用いてもよい。この場合、巻取パイプ１２は、操作チェーンの巻き取り操作によって正転し、操作チェーンの引き出し操作によって逆転する。巻取パイプ１２の正転は、巻取パイプ１２の周方向に沿ってスクリーン１３を巻取パイプ１２に巻き取り、巻取パイプ１２の逆転は、巻取パイプ１２に巻き取られたスクリーン１３を巻取パイプ１２から引き出す。巻取パイプ１２を回転させる機構がモーターを備える電動式である構成においては、モーターの回転する方向を切り替える操作スイッチが操作部として具体化される。
【符号の説明】
【００６７】
１１…枠体、１２…巻取パイプ、１２Ｃ…中心軸、１３…スクリーン、１３Ｅ…外縁部、１４…ウェイトバー、１４Ｄ…ダンパ、１５…ハンドル、１６…プルコード、１９…枠体、１９Ａ…下部枠体、２１…案内レール、２１Ｂ…後側案内壁、２１Ｆ…前側案内壁、２１Ｇ…案内通路、３０…ロールケース、３１…フレーム、３１Ｂ…後面、３１ＢＥ…下辺、３１Ｆ…前面、３１ＦＥ…下辺、３１Ｓ…取付面、３２Ｌ…左サイドブラケット、３２Ｒ…右サイドブラケット、３３Ｌ…左ベースキャップ、３３Ｒ…右ベースキャップ、３４…取付ブラケット、３５…遮光クッション、３５Ｂ…基端部、３５Ｔ…先端部、４０…支持軸、４１…外周、４２…内筒、５０…抑制壁、５１…第１抑制壁、５２…第２抑制壁、５３…第１支持壁、５４…リブ、５５…案内スリット、６０…案内壁、６１…第１案内壁、６２…第２案内壁、６３…第２支持壁、３１１…ブラケット取付部、３１２…遮光クッション取付部、３２０…平面、３２１…当接部、３２３，３２４…連結穴、３２５…重畳部、θ…中心角、ｈ１…高さ、ＬＳ…長さ、ＬＷ…長さ、Ｐ１…巻き取り高さ位置、Ｒ０…半径、Ｒ１…半径、Ｌ１０…長さ、Ｒ１３…経路。
【図１】
0006548947.tif 000002
【図２】
0006548947.tif 000003
【図３】
0006548947.tif 000004
【図４】
0006548947.tif 000005
【図５】
0006548947.tif 000006
【図６】
0006548947.tif 000007